(57)【要約】      （修正有）【課題】短時間に着こなすことが出来る和服着付け時の仮抑え部材を備えた和服を提供する。【解決手段】和服本体１０に設けられた衿１３の先端近傍には、先端に仮抑え部材としての面ファスナーＱ１を取付た所定の長さのゴムベルト等の伸縮ベルト１ｘ及び１ｙの基端部が取り付け、前記衿１３には、伸縮ベルト１ｘに設けた面ファスナーＱ１に着脱可能な仮抑え部材としての面ファスナーＱ２が取付ける。下前おくみ１１ａと下前１１の表面側におけるおはしょりＳａの領域Ｓ−Ｓに複数の方形状に形成された仮抑え部材としての面ファスナー１ａ，１ｂ，１ｃが接着剤または縫製等により一体的に取付ける。前記上前おくみ１２ａと上前１２の裏面側には、前記複数の仮抑え部材としての面ファスナー１ａ，１ｂ，１ｃに対応し、かつ着脱可能な複数の仮抑え部材としての面ファスナー１Ａ，１Ｂ，１Ｃが接着剤または縫製等により一体的に取り付けて構成する。【選択図】図１
0003150341.tif 000002
【実用新案登録請求の範囲】
【請求項１】
和服本体に設けられた衿の先端近傍に、先端に面ファスナー(Q1,Q2) を取付た所定の長さの伸縮ベルト（1x,1y)の基端部を取り付け、下前おくみと下前の表面側におけるおはしょり領域(S-S) に複数の面ファスナー(1a,1b,1c)を取付、上前おくみと上前の裏面側に、前記複数の面ファスナー(1a,1b,1c)に対応し、かつ着脱可能な複数の面ファスナー(1A,1B,1C)を取り付けて成る和服着付け時の仮止め部材を備えた和服。
【請求項２】
前記下前おくみ側に取り付けた複数の面ファスナー(1a,1b,1c)と、上前おくみ側に取り付けた複数の面ファスナー(1A,1B,1C)とを、それぞれ対応させて接合させる面ファスナー(1a,1b,1c),(1A,1B,1C) に識別用の着色を施した請求項１に記載の仮止め部材を備えた和服。
【考案の詳細な説明】
【技術分野】
【０００１】
この考案は、和服着付け時における仮抑え部材を備えた和服に係わり、更に詳しくは和服や、浴衣、更には補助紐付きの和服、長襦袢等を誰出もが簡単に、しかも短時間に着こなすことが出来る和服着付け時における仮抑え部材を備えた和服に関するものである。
【背景技術】
【０００２】
近年、日本の伝統とする着物、特に和服に関する着用は、職業を持つ女性や特殊な職業を有する人等（例えば、歌舞伎等の芸能関係に携わる人や、お茶や踊りの関係者、更には旅館等の女将や飲食関係の女性等）の他、また一般人においては成人式や冠婚葬祭、パーティー等において一年に数回程度着用するのが一般的で、高価な和服を多数保持しながら殆ど着用されていないのが一般的である。
【０００３】
このように、日本の伝統的な美しさを備えた和服の着用（利用）されていない原因の一つとして、一人で簡単に着用できない事、着付けに時間や費用がかかり、高価になる事、着用時に部品等を使用しなくてはならず着用に時間がかかること、更に簡略化した和服の着用において「おはしょり」の処理と、胴回りの皺を隠したり、腰の形を整えるのに非常に手間がかかり、面倒である点等を挙げることが出来る。
【０００４】
ところで、従来の一般的な和服の着用方法としては、下記の手順により行っている。
先ず、
（ａ）．着用者が和服を羽織り、和服の衿先を両手で持って全体を持ち上げる（たくし上        げる）。
（ｂ）．次に、和服全体を持ち上げ（たくし上げる）ながら、和服の裾線を床面に合わせ        た長さに位置決めする。
（ｃ）．前記たくし上げた部分の和服を、腰のあたりで折り返し（おはしょり）た状態で        和服の下前を左の脇下に合わせて巻き込む。
（ｄ）．和服の上前を下前の上に載せるように合わせる。
（ｅ）．前記（ｃ）のおはしょりの中側に腰紐を入れて締めつける。
（ｆ）．その後、おはしょりの上から帯等を締める。
【０００５】
以上のような方法が一般的な和服の着用方法であるが、上述したように一般の人は「おはしょり」の処理、即ち、着物の着丈の調整が非常に難しい上に面倒で手間がかかり、一人ではなかなか着こなすことが出来ず、和服の着付けを習った人に手伝ってもらうとか、美容院等において着付けを行ってもらうのが普通である。
【０００６】
そこで、和服の着付けを簡便にするために、上下二部式の着物や、補助紐付きの着物、着物に長襦袢の衿や袖の一部を縫い合わせた着物等が提案されている他、着物に面ファスナーやボタンを取付たり、仮止め部品を使用して着付ける和服等が提案されている（例えば、特許文献１参照）。
【０００７】
しかしながら、このような従来の和服であっても、やはり「おはしょり」の処理には手間がかかる上、胴回りの皺を隠したり、腰の形を整えるのに非常に手間がかかり、一人で簡単に、しかも短時間に行うことが出来ないのが実情であった。また、本来の着物（既存の着物）を切断したり、仕立て直しをしなければならず、一度仕立て直しや切断したものは元の着物の状態に戻すことは不可能である。
【先行技術文献】
【特許文献】
【０００８】
【特許文献１】特開２００７−１６３７２号公報
【特許文献２】特開２００５−１２０５２０号公報
【考案の概要】
【考案が解決しようとする課題】
【０００９】
この考案はかかる従来の問題点に着目し、「おはしょり」の処理に手間がかからず、和服や、浴衣、更には補助紐付きの和服着物、長襦袢等を誰出もが一人で簡単に、しかも短時間に着こなすことが出来、更に既存の着物に仮抑え部材を取り付けるだけで簡単に創作することが出来る上、取り外すことで元の着物の状態にも戻すことが可能な和服着付け時の仮抑え部材を備えた和服を提供することを目的とするものである。
【課題を解決するための手段】
【００１０】
この考案は上記目的を達成するため、和服本体に設けられた衿の先端近傍に、先端に面ファスナー(Q1,Q2) を取付た所定の長さの伸縮ベルト（1x,1y)の基端部を取り付け、少なくとも下前おくみと下前の表面側におけるおはしょり領域(S-S) に複数の面ファスナー(1a,1b,1c)を取付、上前おくみと上前の裏面側に、前記複数の面ファスナー(1a,1b,1c)に対応し、かつ着脱可能な複数の面ファスナー(1A,1B,1C)を取り付けたことを要旨とするものである。
【００１１】
ここで、前記下前おくみ側に取り付けた複数の面ファスナー(1a,1b,1c)と、上前おくみ側に取り付けた複数の面ファスナー(1A,1B,1C)とを、それぞれ対応させて接合させる面ファスナー(1a,1b,1c),(1A,1B,1C) に識別用の着色を施すことも可能である。
【００１２】
このように、少なくとも下前おくみと下前の表面側におけるおはしょり領域(S-S) に複数の面ファスナー(1a,1b,1c)を取付、上前おくみと上前の裏面側に、前記複数の面ファスナー(1a,1b,1c)に対応し、かつ着脱可能な複数の面ファスナー(1A,1B,1C)を取り付けたことにより、「おはしょり」の処理に手間がかからず、和服着物、長襦袢等を誰出もが簡単に、しかも短時間に着こなすことが出来るものである。
【考案の効果】
【００１３】
この考案は、上記のように和服本体に設けられた衿の先端近傍に、先端に仮抑え部材としての面ファスナー(Q1,Q2) を取付た所定の長さの伸縮ベルト（1x,1y)の基端部を取り付け、少なくとも下前おくみと下前の表面側におけるおはしょり領域(S-S) に複数の仮抑え部材としての面ファスナー(1a,1b,1c)を取付、上前おくみと上前の裏面側に、前記複数の面ファスナー(1a,1b,1c)に対応し、かつ着脱可能な複数の仮抑え部材としての面ファスナー(1A,1B,1C)を取り付けたので、和服の着付け時に「おはしょり」の処理に手間がかからず、和服着物、長襦袢等を誰出もが簡単に、しかも短時間に着こなすことが出来る効果がある。
【００１４】
特に、下前おくみ側に取り付けた複数の面ファスナー(1a,1b,1c)と、上前おくみ側に取り付けた複数の面ファスナー(1A,1B,1C)とを、それぞれ対応させて接合させる面ファスナー(1a,1b,1c),(1A,1B,1C) に識別用の着色を施すことで、着付けの経験が少ない人が重ね合わせて固定する場合にも、色の識別ができれば簡単に重ねて固定することが出来、また繰り返し使用出来るので経済的である。
【００１５】
更に、衿の先端近傍に設けるベルトは、ゴムベルト等の伸縮性を有するため、締め付け時に違和感がなく、緩みも少ないため、和服を着用していても皺にならずに長時間の着用も可能である。
【００１６】
また、本来の着物を切断したり、仕立て直しをすることなく、既存の着物に仮抑え部材を取り付けるだけで簡単に創作することが出来ると共に、仮抑え部材を取り外すことで元の着物の状態にも戻すことが可能である。
【図面の簡単な説明】
【００１７】
【図１】この考案を実施した和服本体の下前と上前とを開いた状態の正面図である。
【図２】下前を左の脇下側に合わせて巻き込んだ状態の正面図である。
【図３】上前を下前の上の載せるように合わせた状態の正面図である。
【図４】この考案の和服の着付け手順の第１手順を示す正面図である。
【図５】この考案の和服の着付け手順の第２手順を示す正面図である。
【図６】この考案の和服の着付け手順の第３手順を示す正面図である。
【図７】この考案の和服の着付け手順の第４手順を示す正面図である。
【図８】この考案の和服の着付け手順の第５手順を示す正面図である。
【考案を実施するための形態】
【００１８】
以下、添付図面に基づき、この考案の実施形態を説明する。
【００１９】
図１は、この考案を実施した和服本体１０の下前１１と上前１２とを開いた状態を示す正面図であって、１１ａは下前おくみ、１２ａは上前おくみ、１３は和服本体１０に設けられた衿（えり）、Ｓ−Ｓは下前おくみ１１ａと下前１１の表面側におけるおはしょりＳａの領域を示している。
【００２０】
前記和服本体１０に設けられた衿１３の先端近傍には、先端に仮抑え部材としての面ファスナーＱ１を取付た所定の長さのゴムベルト等の伸縮ベルト１ｘ及び１ｙの基端部が取り付けてあり、前記衿１３には、伸縮ベルト１ｘに設けた面ファスナーＱ１に着脱可能な仮抑え部材としての面ファスナーＱ２が取付けてある。
【００２１】
前記下前おくみ１１ａと下前１１の表面側におけるおはしょりＳａの領域Ｓ−Ｓに複数の方形状に形成された仮抑え部材としての面ファスナー(1a,1b,1c)が接着剤または縫製等により一体的に取付てありる。
【００２２】
また前記上前おくみ１２ａと上前１２の裏面側１２ｘには、前記複数の仮抑え部材としての面ファスナー１ａ，１ｂ，１ｃに対応し、かつ着脱可能な複数の仮抑え部材としての面ファスナー１Ａ，１Ｂ，１Ｃが接着剤または縫製等により一体的に取り付けてある。
【００２３】
また、この考案の実施形態では、和服本体１０を着用する際に、その手順を簡便化させるために、複数の面ファスナー１ａ，１ｂ，１ｃ及び面ファスナー１Ａ，１Ｂ，１Ｃの切着させる面ファスナー同士の色及び形状を同じものにしてある。
【００２４】
例えば、面ファスナー１ａ，１Ａを黄色に着色した面ファスナーとし、また面ファスナー１ｂ，１Ｂを白色に着色した面ファスナーとし、更に面ファスナー１ｃ，１Ｃを黒色に着色した面ファスナーにすると共に、伸縮ベルト１ｘ，１ｙに取り付けた面ファスナーＱ１，Ｑ２も青等の同一色に着色したものを使用することが好ましい。
【００２５】
なお、複数の面ファスナー１ａ，１ｂ，１ｃ及び面ファスナー１Ａ，１Ｂ，１Ｃの大きさや形状（例えば、四角，丸，長方形，楕円形）、或いは数等は、和服の種類や大きさに応じて任意に設定することが出来るものである。また、１４は袖（そで）、１５は袂（たもと）、１６は身八つ口、１７は袖口を示している。
【００２６】
次に、この考案にかかる和服の着付け手順を、図４〜図８を参照しながら説明する。
【００２７】
(1).先ず、図４に示すように、着用する人の背丈を合わせて和服本体１０のおはしょりＳ  ａの部分（和服の長い部分）を折り重ねて縫っておく。具体的には、和服の衿先を両手  で持って全体を持ち上げて（たくし上げる）、和服本体の裾線を床面に合わせた長さに  位置決めし、和服を、腰のあたりで折り返し（おはしょり）た状態でその部分を縫って  おく。なお、縫っておく部分は、下前１１と後ろ２ヵ所で、上前１２だけは縫わずにそ  のままの状態にしておく。
前記、おはしょりＳａを後ろ２ヵ所と、下前１１だけで、上前１２を上げておかない  のは、通常の着方と同じようにおはしょりＳａが下前１１と上前１２とで絡み合い、着  崩れがなくなると共に、衿元も綺麗にすることが出来るからである。おはしょりＳａを  全て上げてしまうと、男物のようについ丈になり着物がはだけてしまうと言う問題があ  る。また、上前１２をおはしょりＳａしないのは、後において胴回りの皺を隠したり、  腰の形を整えるのを容易にするためである。
【００２８】
(2).次に、衿１３に取付た所定の長さのゴムベルト等の伸縮ベルト１ｘの先端側を、身八  つ口１６に通しておき（図５参照）、図６に示すように、下前１１の衿先の面ファスナ  ー１ａと、上前１２の奥に設けた面ファスナ  ー１Ａとを接合させて貼り合わせる。こ  れにより、図７に示すように、下前１１は下側に落ちることなく仮抑えすることが出来  る。この時、下前１１は身丈と同じで上前１２だけが長い状態となる。
【００２９】
(3).次に、上前１２の裏側の上前おくみ１２ａに取付けた面ファスナー１ｂ，１ｃを、下  前１１の表面側に取り付けた面ファスナー１Ｂ，１Ｃに対応させて貼り合わせて接合さ  せることで、上前１２は縫い合わせることなくおはしょりＳａをしたことになる。
なお、このように上前１２及び下前１１の面ファスナー１ｂ，１ｃ、１Ｂ，１Ｃを対  応する色にしておけば迷うことなく色合わせにより面ファスナー１ｂ，１ｃ及び１Ｂ，  １Ｃを簡単に対応させて接合させることが出来るものである。
【００３０】
(4).そして、図７に示すように、先に身八つ口１６から挿通させた伸縮ベルト１ｘの先端  側に設けた面ファスナーＱ１と、衿１３に取付けた面ファスナーＱ２とを接合させて貼  り合わせることにより衿１３が崩れることなく綺麗に着ることが出来るものである。
【００３１】
(5).最後に上前１２のおはしょりＳａを持ち上げ、伸縮ベルト１ｙの先端と伸縮ベルト１  ｘの先端とをフックや面ファスナー等により接合させることで着付けは完了する。
【００３２】
(6).このようにして、着付けが完了したらおはしょりＳａした部分の上から帯を締めるこ  とで全ての着付けが完了する。
【００３３】
以上のような方法により着付けることで衿元の着崩れがなく、また通常の着方の場合には、腰紐や伊達締めをしなければなさないが、伸縮ベルト１ｙの一つにより和服本体１０が固定され、息苦しいこともなく着心地も良好である。
【００３４】
また、上述したように接合する面ファスナー同士を同じ色で統一させることで、和服の着付けの経験が少ない人でも容易に着付けることが出来ると共に、脱ぐことも容易に行うことが出来る。
【００３５】
以上のように、和服本体１０に設けられた衿１３の先端近傍に、先端に仮抑え部材としての面ファスナー(Q1,Q2) を取付た所定の長さの伸縮ベルト（1x,1y)の基端部を取り付け、少なくとも下前おくみと下前の表面側におけるおはしょり領域(S-S) に複数の仮抑え部材としての面ファスナー(1a,1b,1c)を取付、上前おくみと上前の裏面側に、前記複数の面ファスナー(1a,1b,1c)に対応し、かつ着脱可能な複数の仮抑え部材としての面ファスナー(1A,1B,1C)を取り付けたので、和服の着付け時に「おはしょり」の処理に手間がかからず、和服着物、長襦袢等を誰出もが簡単に、しかも短時間に着こなすことが出来る。
【００３６】
また、特に、下前おくみ側に取り付けた複数の面ファスナー(1a,1b,1c)と、上前おくみ側に取り付けた複数の面ファスナー(1A,1B,1C)とを、それぞれ対応させて接合させる面ファスナー(1a,1b,1c),(1A,1B,1C) に識別用の着色を施すことで、着付けの経験が少ない人が重ね合わせて固定する場合にも、色の識別ができれば簡単に重ねて固定することが出来、また繰り返し使用出来るので経済的である。
【００３７】
更に、本衿の先端近傍に設けるベルトは、ゴムベルト等の伸縮性を有するため、締め付け時に違和感がなく、緩みも少ないため、和服を着用していても皺にならずに長時間の着用も可能である。
【００３８】
また、本来の着物を切断したり、仕立て直しをすることなく、既存の着物に仮抑え部材を取り付けるだけで簡単に創作することが出来ると共に、仮抑え部材を取り外すことで元の着物の状態にも戻すことが可能である。
【符号の説明】
【００３９】
１ｘ，１ｙ  伸縮ベルト
１ａ，１ｂ，１ｃ  面ファスナー
１Ａ，１Ｂ，１Ｃ  面ファスナー
１０  和服本体
１１  下前
１１ａ  下前おくみ
１２  上前
１２ａ  上前おくみ
１２ｘ  上前の裏面側
１３  衿
１４  袖（そで）
１５  袂（たもと）
１６  身八つ口
１７  袖口
Ｓａ  おはしょり
Ｓ−Ｓ  おはしょりの領域
Ｑ１，Ｑ２  面ファスナー
【図１】
0003150341.tif 000003
【図２】
0003150341.tif 000004
【図３】
0003150341.tif 000005
【図４】
0003150341.tif 000006
【図５】
0003150341.tif 000007
【図６】
0003150341.tif 000008
【図７】
0003150341.tif 000009
【図８】
0003150341.tif 000010